(57)【特許請求の範囲】
【請求項１】
左右１対の支柱の前面に設けた係止孔に、両側部後端に設けたフックを係止して、両支柱の前面に架設するようにした棚板であって、
水平板状の棚板本体と、
後端にフックを形成した前後方向を向く左右１対の垂直板、この垂直板の内側面の上端より垂下する垂下片、および前記垂下片の下端よりほぼ直角をなして内方を向き、前記棚板本体の両側部下面に固着された水平支持片を有する左右１対の側板と、
前記棚板本体の前端に固着された名札差しとを備え、
前記棚板本体の上面より上方に突出する各側板の垂直板の上部、および垂下片、並びに前記名札差しの上部により、棚板本体の上面に載置した商品が棚板の側端および前端から落下するのを防止する側部の柵となる起立片と、前部の柵となる起立片とを形成したことを特徴とする棚板。
【請求項２】
棚板本体の下面に、側面視ほぼ上向きコ字状をなす左右方向を向く補強材における前後の上端縁より前後方向に延出する取付片を固着し、かつ水平支持片に、前記取付片の側端部が嵌合する切り欠きを設けた請求項１記載の棚板。
【発明の詳細な説明】
【技術分野】
【０００１】
本発明は、コンビニエンスストアやドラッグストア等において使用される商品陳列棚等に用いるのに適する棚板に関する。
【背景技術】
【０００２】
上記のような商品陳列棚に用いられる従来の棚板には、左右１対の支柱の前面に設けた係止孔に、左右１対のブラケットの後端に設けたフックをそれぞれ係止し、両ブラケットの下端に形成した内向きの棚受け部に、棚板の両側端部を載置して、水平に支持されるようにし、棚板の上面より上方に突出するブラケットの上部により、棚板上に載置した商品の落下を防止しうるようにしたものがある（例えば特許文献１および２参照）。
【特許文献１】特開２００２−２３３４３８号公報
【特許文献２】特許第３０６０２０４号公報
【発明の開示】
【発明が解決しようとする課題】
【０００３】
しかし、上述のような棚板は、左右１対のブラケットと分離されているため、部品点数が多くなり、取り扱いが不便であり、しかも各ブラケットを１枚の金属板により形成する場合、その板厚をある程度大としなければ十分な強度が得られない。
【０００４】
本発明は、従来の技術が有する上記のような問題点に鑑み、構造が簡単で安価に製造できるとともに、部品点数が少なく、取り扱いが容易であり、しかも、薄い金属板によっても十分な強度が得られるようにした、安全性の高い棚板を提供することを目的としている。
【課題を解決するための手段】
【０００５】
本発明によると、上記課題は次のようにして解決される。
(１)    左右１対の支柱の前面に設けた係止孔に、両側部後端に設けたフックを係止して、両支柱の前面に架設するようにした棚板であって、
水平板状の棚板本体と、
後端にフックを形成した前後方向を向く左右１対の垂直板、この垂直板の内側面の上端より垂下する垂下片、および前記垂下片の下端よりほぼ直角をなして内方を向き、前記棚板本体の両側部下面に固着された水平支持片を有する左右１対の側板と、
前記棚板本体の前端に固着された名札差しとを備え、
前記棚板本体の上面より上方に突出する各側板の垂直板の上部および垂下片、並びに前記名札差しの上部により、棚板本体の上面に載置した商品が棚板の側端および前端から落下するのを防止する側部の柵となる起立片と、前部の柵となる起立片とを形成する。
【０００６】
(２)  上記(１)項において、棚板本体の下面に、側面視ほぼ上向きコ字状をなす左右方向を向く補強材における前後の上端縁より前後方向に延出する取付片を固着し、かつ水平支持片に、前記取付片の側端部が嵌合する切り欠きを設ける。
【発明の効果】
【０００７】
本発明によると、次のような効果を奏することができる。
請求項１記載の発明によると、左右の側板を、簡単かつ安価に製造することができるとともに、従来のブラケットに相当する機能を側板に持たせて、棚板本体と一体としてあるため、取り扱いが容易であり、従来のようにブラケット等を紛失するといったおそれもない。
また、各側板における水平支持片より上方の部分が、垂直板と垂下片との二重構造となっているので、薄い金属板によっても十分な強度を得ることができる。
さらに、各側板における棚板本体の上面より上方の部分が、棚板本体上に載置した商品が棚板の側端から落下するのを防止する柵としての機能を有する。
【０００８】
また、起立片によって、棚板本体上に載置した商品が棚板の前端から落下するのを防止することができる。
【０００９】
さらに、棚板本体の前端に設けた名札差しの上部によって、商品の落下防止用の起立片が形成されるので、起立片を特別に形成する必要がない。
【００１０】
請求項２記載の発明によると、補強材と側板の水平支持片とによって、棚板本体が効率よく補強されるとともに、水平支持片の切り欠きに補強材の取付片の側端部が嵌合することにより、それらの部材が互いに干渉するのを避けることができ、強度の維持と下方から見たときの外観の向上とを図ることができる。
【発明を実施するための最良の形態】
【００１１】
以下、本発明の一実施形態を、添付図面を参照して説明する。
図１〜図４は、本発明の一実施形態を備える商品陳列棚の一例を示す。
図１に示すように、この商品陳列棚(Ａ)は、左右１対の支柱(１)(１)と、その上端部同士を連結する左右方向を向く上部連結杆(２)と、同じく下端部同士を連結する左右方向を向く下部連結杆(図示略)とを備える方形枠状のフレーム(３)を備えている。
【００１２】
フレーム(３)の前面下部には、台箱(４)が設けられており、その上方における左右の支柱(１)(１)の前面には、複数の棚板(５)(５)が、その両側部後端に設けられたフック(６)(６)を、各支柱(１)の前面に上下方向に並べて設けられた複数の係止孔(７)に選択的に係止することにより、所望の高さに多段状に架設されている。
【００１３】
図２〜図４に詳細に示すように、各棚板(５)は、ほぼ水平板状の棚板本体(８)と、その両側部に配設された左右１対の側板(９)と、棚板本体(８)の前部に配設された名札差し(10)とを備えている。
【００１４】
棚板本体(８)は、後部両角隅部に、各支柱(１)に嵌合するようにした方形の切り欠き(11)が設けられた水平部(8a)と、その前端縁より垂下する前部垂下片(8b)と、その前部垂下片(8b)の下端より前方に延出する短寸の受片(8c)と、水平部(8a)の後端より垂下する後部垂下片(8d)とを備えている。
【００１５】
水平部(8a)の下面における前後方向のほぼ中央部には、側面視ほぼ上向きコ字状をなす左右方向を向く補強材(12)における前後の上端縁より前後方向に延出する取付片(12a)(12a)が、スポット溶接等により固着されている。補強材(12)の左右方向の長さは、水平部(8a)の左右方向の長さとほぼ等しくしてある。
【００１６】
各側板(９)は、後端に複数のフック(６)(６)を形成した前後方向を向く垂直板(9a)の上部を内方に倒立Ｕ字状に折り返して垂下片(9b)を形成し、かつ垂下片(9b)の下端部を内向きにほぼ直角に折り曲げて水平支持片(9c)を形成したものよりなっている。
垂直板(9a)の前端部は、垂下片(9b)および水平支持片(9c)の前端より前方に突出し、名札差し(10)の両側端を覆うように、下端が上端より前方に延出する三角形状をなしている。
【００１７】
水平支持片(9c)の中間部には、補強材(12)における前後の取付片(12a)(12a)の側端部が嵌合しうる方形の切り欠き(13)(13)が設けられており、この切り欠き(13)(13)に補強材(12)の前後の取付片(12a)(12a)が嵌合するようにして、各側板(９)の水平支持片(9c)は、棚板本体(８)の水平部(8a)の両側部下面に、スポット溶接等により固着されている。
【００１８】
名札差し(10)は、中央部が後方に向かって凹入する側面視円弧状の基片(10a)の上下縁に、前下方および前上方を向く折曲縁部(10b)(10c)を設けたものよりなり、棚板本体(８)の前部垂下片(8b)の上部前面と、受片(8c)の前部上面とに当接させてスポット溶接されており、折曲縁部(10b)(10c)の内側に、陳列商品の品名や価格等を記載した名札(14)を若干後傾状態で保持し得るようになっている。
【００１９】
この棚板(５)は、全体を若干前上向き傾斜状態として、左右の上段のフック(６)(６)を、ほぼ同時に左右の支柱(１)(１)の等高をなす係止孔(７)(７)にそれぞれ係止し、次いで水平状態まで回動しつつ、下段のフック(６)(６)を各支柱(１)の係止孔(７)にそれぞれ係止させることにより、簡単に両支柱(１)(１)に装着することができる。
【００２０】
棚板(５)の使用状態においては、棚板本体(８)の水平部(8a)の上面より上方に突出する各側板(９)の垂直板(9a)の上部および垂下片(9b)、並びに名札差し(10)の上部により、棚板本体(８)の水平部(8a)の上面に載置した商品(図示略)が棚板の側端および前端から落下するのを防止する側部の柵となる起立片(15)と前部の柵となる起立片(16)とが形成され、その各起立片(15)(16)の上端となる側板(５)の上端および名札差し(10)の上端は、ほぼ倒立Ｕ字状に折曲されているので、商品を傷つけることがなく、安全である。
【００２１】
図５は、本発明の一実施形態を備える商品陳列棚の他の例を示す。
この商品陳列棚(Ｂ)は、図１〜図４に示したものと同様の２個の商品陳列棚(Ａ)(Ａ)を、互いに左右方向に離間させて左右外向きとして配設し(すなわち、各フレーム(３)の向きを前後方向とする)、そのとき左右のフレーム(３)(３)の後方に位置する支柱(１)(１)の上端部同士および下端部同士を、左右方向を向く上部連結杆(20)および下部連結杆(図示略)により互いに連結し、左右のフレーム(３)(３)間に、棚板(５)よりも長さの長いベース棚板(21)および複数の棚板(22)(22)を架設したものよりなっている。
【００２２】
このように、本発明の棚板(５)は、大型の商品陳列棚(Ｂ)の側面に、正面を側片に向けて補助的に設けられる短寸の商品陳列棚(Ａ)用の棚板として用いるのに好適である。
【図面の簡単な説明】
【００２３】
【図１】本発明の一実施形態を備える商品陳列棚の前方斜視図である。
【図２】同じく、要部の分解斜視図である。
【図３】同じく、棚板の拡大縦断側面図である。
【図４】同じく、棚板の底面図である。
【図５】本発明の商品陳列棚の他の例のを示す前方外観斜視図である。
【符号の説明】
【００２４】
(Ａ)(Ｂ)商品陳列棚
(１)支柱
(２)上部連結杆
(３)フレーム
(４)台箱
(５)棚板
(６)フック
(７)係止孔
(８)棚板本体
(8a)水平部
(8b)前部垂下片
(8c)受片
(8d)後部垂下片
(９)側板
(9a)垂直板
(9b)垂下片
(9c)水平支持片
(10)名札差し
(10a)基片
(10b)(10c)折曲縁部
(11)切り欠き
(12)補強材
(12a)取付片
(13)切り欠き
(14)名札
(15)(16)起立片
(20)上部連結杆
(21)ベース棚板
(22)棚板
【図１】
0004651301.tif 000002
【図２】
0004651301.tif 000003
【図３】
0004651301.tif 000004
【図４】
0004651301.tif 000005
【図５】
0004651301.tif 000006